(57)【要約】ＵＥ（１１５）と通信するとき、ＭＩＭＯシステム（１００）において使用するためのプリコーダを生成する、ＭＩＭＯシステム（１００）および方法を提供する。本方法は、ＵＥ（１１５）から、データが送信されたチャネルに関連するチャネル情報を受信することと、チャネル情報を送信コンポーネントおよび信号強度コンポーネントを表すコンポーネントに分解することと、送信コンポーネントと信号強度コンポーネントとに従ってプリコーダを生成することと、を含む。【選択図】図１
2018504821.tif 000002
【特許請求の範囲】
【請求項１】
ＵＥ（User Equipment：ユーザ装置）と通信を行うときにＭＩＭＯ（Multiple-Input Multiple-Output：マルチプルインプットマルチプルアウトプット）システムにおいて使用するためのプリコーダを生成する方法であって、
前記ＵＥからデータが送信されるチャネルに関連するチャネル情報を受信することと、
前記チャネル情報を送信コンポーネントと信号強度コンポーネントとを表すコンポーネントに分解することと、
前記送信コンポーネントと前記信号強度コンポーネントとに従って前記プリコーダを生成することと、
を含む方法。
【請求項２】
前記チャネル情報は、特異値分解（ＳＶＤ：singular value decomposition）を用いて分解される、
請求項１の方法。
【請求項３】
前記送信コンポーネントは、前記特異値分解のユニタリ行列（unitary matrix）を含み、前記信号強度コンポーネントは、前記特異値分解の対角行列（diagonal matrix）を含む、請求項２の方法。
【請求項４】
前記特異値分解は、下記式に従って計算される、請求項２の方法。
【数１】
2018504821.tif 000022
ここで、ＵとＶは前記特異値分解の左右のユニタリ行列を含み、Λは前記特異値分解の特異値を含み、Ｈは前記チャネル情報であり、σ２は前記ＵＥのノイズ分散であり、上付き文字Ｈはエルミート転置である。
【請求項５】
前記ＵＥの前記ノイズ分散は、チャネル情報に従って推定される、請求項４の方法。
【請求項６】
前記ノイズ分散σ２は、下記式に従って推定される、請求項５の方法。
【数２】
2018504821.tif 000023
ここで、Ｌは前記ＵＥに使用されるコードワード数であり、Ｐは送信電力であり、ＳＩＮＲｉは前記ＵＥの信号対干渉雑音比である。
【請求項７】
前記信号強度コンポーネントに従って電力配分行列（power allocation matrix）を決定することをさらに含み、
前記プリコーダは、前記電力配分行列に従ってさらに生成される、
請求項１の方法。
【請求項８】
前記電力配分行列は、前記信号強度コンポーネントおよびラグランジュ乗数に従って決定される、請求項７の方法。
【請求項９】
前記電力配分行列Ｄは、下記式に従って決定される、請求項８の方法。
【数３】
2018504821.tif 000024
【請求項１０】
前記プリコーダＦは、下記式に従って生成される、請求項９の方法。
【数４】
2018504821.tif 000025
ここで、ＮＴＸは前記ＭＩＭＯシステムの送信アンテナ数であり、ＲＩは前記ＭＩＭＯシステムのランクである。
【請求項１１】
前記ラグランジュ乗数νは、
2018504821.tif 000026
【請求項１２】
前記ＭＩＭＯシステムは、ＴＤＤ（Time-Division Duplexing：時分割複信）システムであり、チャネル行列は前記相互チャネルから推定される、請求項１の方法。
【請求項１３】
前記ＭＩＭＯシステムは、ＦＤＤ（Frequency-Division Duplexing：周波数分割複信）システムであり、代表チャネルは前記チャネル情報のプリコーダマトリクスインジケータ（ＰＭＩ：precoder matrix indicator）から導出される、請求項１の方法。
【請求項１４】
ＵＥにデータを提供するための複数のアンテナと；
前記アンテナに結合されたプロセッサと；
前記プロセッサに結合されたメモリと、を備え、
前記メモリは、
前記ＵＥから前記データが送信されるチャネルに関するチャネル情報を受信することと；
前記チャネル情報を送信コンポーネントと信号強度コンポーネントとを表すコンポーネントに分解することと；
前記送信コンポーネントと前記信号強度コンポーネントとに基づいてプリコーダを生成することと；
前記複数のアンテナ上で前記ＵＥにデータを提供することと、
を前記プロセッサにより実行可能な命令コードを含み、前記データは前記プリコーダを用いて符号化される、
ＭＩＭＯシステム。
【請求項１５】
前記ＭＩＭＯシステムは、ＦＤＤシステムである、請求項１４のシステム。
【請求項１６】
前記ＭＩＭＯシステムは、ＴＤＤシステムである、請求項１４のシステム。
【請求項１７】
前記チャネル情報は、下記式に従って特異値分解（ＳＶＤ：singular value decomposition）を用いて分解される、請求項１４のシステム。
【数５】
2018504821.tif 000027
ここで、ＵとＶは前記特異値分解の左右のユニタリ行列を含み、Λは前記特異値分解の特異値を含み、Ｈは前記チャネル情報であり、σ２は前記ＵＥのノイズ分散であり、上付き文字Ｈはエルミート転置である。
【請求項１８】
前記ノイズ分散σ２は、下記式に従って推定される、請求項１７のシステム。
【数６】
2018504821.tif 000028
ここで、Ｌは前記ＵＥに使用されるコードワード数であり、Ｐは送信電力であり、ＳＩＮＲｉは前記ＵＥの信号対干渉雑音比である。
【請求項１９】
前記プリコーダは、電力配分行列に従ってさらに生成され、前記電力配分行列Ｄは、下記式に従って決定される、請求項１７のシステム。
【数７】
2018504821.tif 000029
【請求項２０】
前記ラグランジュ乗数νは、
2018504821.tif 000030
【請求項２１】
前記プリコーダＦは、以下の式に従って生成される、請求項１７のシステム。
【数８】
2018504821.tif 000031
ここで、ＮＴＸは前記ＭＩＭＯシステムの送信アンテナ数であり、ＲＩは前記ＭＩＭＯシステムのランクである。
【発明の詳細な説明】
【技術分野】
【０００１】
本発明は、高度な無線通信ネットワークにおける制御シグナリングに関する。特に、本発明は、ＭＩＭＯ（Multiple-Input Multiple-Output：マルチプルインプットマルチプルアウトプット）システムにおけるプリコーダの生成に関する。
【０００２】
<略語>
本明細書では、以下の略語が使用される：
ＣＳＩ  ＰＭＩ、ＲＩ、ＣＱＩを含むチャネル状態情報
ＤＬ  ダウンリンク
ＦＤＤ  周波数分割複信
ＭＭＳＥ  最小二乗平均誤差
ＰＭＩ  プリコーダマトリクスインジケータ
ＴＤＤ  時分割複信
ＵＥ  ユーザ装置
ＵＬ  アップリンク
｜ａ｜は、絶対値を示す
【数９】
2018504821.tif 000003
Ｅａは、ａの期待値を示す
【背景技術】
【０００３】
基地局（ｅＮｏｄｅＢ（evolved Node B（ｅＮＢ））としても知られる）が、ｅＮＢの範囲内にあるモバイルデバイス（ユーザ装置（user equipment(ＵＥ)としても知られている）と通信する無線通信システムが広く知られている。各ｅＮＢは、自身の利用可能な帯域幅、すなわち、周波数および時間リソースを、複数のＵＥのために複数のリソース割り当てに分割する。より多くのユーザ（より多くのＵＥ）、より多くのデータ集約型のサービス、および／または、より高いデータ伝送速度に対応するために、上記システムの容量を増やし、リソース利用効率を改善する継続的なニーズがある。
【０００４】
ｅＮＢとＵＥとの間のダウンリンクチャネルの状態に関するフィードバックは、ダウンリンクチャネルを介してデータの送信を最適化するために採用されてもよい。特に、ＵＥは、受信されたパイロット信号からダウンリンクチャネル状態情報（ＣＳＩ：channel status information）を決定し、そして、ＣＳＩをｅＮＢへ通信（送信）してもよい。ｅＮｏｄｅＢは、ＵＥへの後続のデータ送信のためのプリコーディング（precoding）を決定するために、このデータを送信してもよい。
【０００５】
先行技術のＭＩＭＯシステムの問題は、ある状況におけるその性能である。
【０００６】
そのため、ＭＩＭＯプリコーディング性能を改善する必要がある。
【０００７】
先行技術文献が本明細書で言及されている場合、オーストラリアまたは他の国のいずれかにおいて、この文献が当該分野の共通の一般的な知識の一部を形成することの承認を構成するものではないことは明らかに理解される。
【発明の概要】
【０００８】
本発明は、上述の欠点の少なくとも１つを少なくとも部分的に解決するか、または消費者に有用なまたは商業的選択（commercial choice）を提供する、プリコーダを生成することに関する。
【０００９】
以上のことから、本発明は一形態において、ＵＥと通信するときにＭＩＭＯシステムにおいて使用するためのプリコーダを生成する方法において広く存在し、前記方法は、
前記ＵＥからデータが送信されるチャネルに関連するチャネル情報を受信することと；
前記チャネル情報を送信コンポーネント（component）および信号強度コンポーネントを表すコンポーネントに分解することと；
前記送信コンポーネントおよび前記信号強度コンポーネントに従って前記プリコーダを生成することと、を含む。
【００１０】
チャネル情報は、特異値分解（ＳＶＤ：singular value decomposition）を用いて分解してもよい。
【００１１】
送信コンポーネントは、特異値分解のユニタリ行列（unitary matrix）を含んでもよく、信号強度コンポーネントは、特異値分解の対角行列（diagonal matrix）を含んでもよい。
【００１２】
特異値分解は、以下の式により計算されてもよい。
【数１０】
2018504821.tif 000004
ここで、ＵとＶは特異値分解の左右のユニタリ行列を構成し、Λは特異値分解の特異値を構成し、Ｈはチャネル情報であり、σ２はＵＥのノイズ分散であり、上付き文字Ｈはエルミート転置（Hermitian transpose）である。
【００１３】
ＵＥのノイズ分散は、チャネル情報に従って推定されてもよい。特に、ノイズ分散σ２は以下の式に従って推定されてもよい。
【数１１】
2018504821.tif 000005
ここで、ＬはＵＥに使用されるコードワード（codewords）数であり、Ｐは送信電力であり、ＳＩＮＲｉはＵＥの信号対干渉雑音比（signal-to-interference-plus-noise ratio）である。
【００１４】
本方法は、信号強度コンポーネントに従って電力配分行列（power allocation matrix）を決定することをさらに含み、前記プリコーダは、電力配分行列に従ってさらに生成される。特に、電力配分行列は、信号強度コンポーネントおよびラグランジュ乗数に従って決定されてもよい。
【００１５】
電力配分行列Ｄは、以下の式により決定されてもよい。
【数１２】
2018504821.tif 000006
【００１６】
プリコーダＦは、以下の式により生成されてもよい。
【数１３】
2018504821.tif 000007
ここで、ＮＴＸはＭＩＭＯシステムの送信アンテナ数であり、ＲＩはＭＩＭＯシステムのランクである。
【００１７】
2018504821.tif 000008
【００１８】
ＭＩＭＯシステムはＴＤＤシステムであってもよく、チャネル行列は相互チャネル（reciprocal channel）から推定されてもよい。
【００１９】
ＭＩＭＯシステムはＦＤＤシステムであってもよく、代表チャネル（representative channel）はチャネル情報のプリコーダマトリクスインジケータ（ＰＭＩ：precoder matrix indicator）から導出されてもよい。
【００２０】
他の形態では、本発明は、ＭＩＭＯシステムに広く存在し、
ＵＥにデータを提供するための複数のアンテナと；
前記アンテナと結合されたプロセッサと；
前記プロセッサと結合されたメモリとを含み、前記メモリは、
前記ＵＥから前記データが送信されるチャネルに関するチャネル情報を受信することと；
前記チャネル情報を送信コンポーネントと信号強度コンポーネントとを表すコンポーネントに分解することと；
前記送信コンポーネントと前記信号強度コンポーネントとに基づいてプリコーダを生成することと；
前記複数のアンテナ上で前記ＵＥにデータを提供することと、を前記プロセッサにより実行可能な命令コードを含み、前記データは前記プリコーダを用いて符号化される。
【００２１】
ＭＩＭＯシステムはＦＤＤシステムであってもよい。または、ＭＩＭＯシステムはＴＤＤシステムであってもよい。
【００２２】
チャネル情報は、以下の式に従って特異値分解（ＳＶＤ）を用いて分解されてもよい
【数１４】
2018504821.tif 000009
ここでＵおよびＶは特異値分解の左右のユニタリ行列を含み、Λは特異値分解の特異値を含み、Ｈはチャネル情報であり、σ２はＵＥのノイズ分散であり、上付き文字Ｈはエルミート転置である。
【００２３】
ノイズ分散σ２は、以下の式に従って推定されてもよい
【数１５】
2018504821.tif 000010
ここで、ＬはＵＥに使用されているコードワード数であり、Ｐは送信電力であり、ＳＩＮＲｉはＵＥの信号対干渉雑音比である。
【００２４】
プリコーダは、電力配分行列に従ってさらに生成されてもよく、電力配分行列Ｄは以下の式に従って決定される
【数１６】
2018504821.tif 000011
【００２５】
2018504821.tif 000012
プリコーダＦは、以下の式に従って生成されてもよい
【数１７】
2018504821.tif 000013
ここで、ＮＴＸは複数のアンテナの数であり、ＲＩはＭＩＭＯシステムのランクである。
【００２６】
本明細書に記載される特徴のいずれかは、本発明の範囲内で本明細書に記載された任意の１つ以上の他の特徴と任意の組み合わせにより組み合わせることができる。
【００２７】
本明細書中のいずれかの先行技術への言及は、先行技術が共通の一般知識の一部を形成することの承認または任意の形式として解釈されるべきではない。
【図面の簡単な説明】
【００２８】
本発明の様々な実施形態は、以降の図を参照して説明される。
【００２９】
【図１】図１は、本発明の実施形態にかかるＭＩＭＯシステムを示す。
【００３０】
【図２】図２は、図１のＭＩＭＯシステムのダウンリンクデータ送信およびＣＳＩフィードバックの方法を示す。
【００３１】
【図３】図３は、本発明の実施形態にかかる、ＵＥと通信する際にＭＩＭＯシステムにおいて使用するためのプリコーダを生成する方法を示す。
【００３２】
【図４】図４は、本発明の実施形態にかかるラグランジュ乗数（Lagrange multiplier）を計算する方法を示す。
【００３３】
本発明の好ましい特徴、実施形態および変形（variation）は、当業者が本発明を実施するのに十分な情報を提供する以下の実施形態の説明から明らかにされる。実施形態の説明は、いかなる方法により上記本発明の概要の範囲を限定するものとみなされるべきではない。
【発明を実施するための形態】
【００３４】
図１は、本発明の実施形態にかかるＭＩＭＯシステム１００を示している。ＭＩＭＯシステム１００は、複数のアンテナ１１０を含むｅＮｏｄｅＢ１０５と、複数のアンテナ１２０を含むＵＥ１１５と、を含む。ｅＮｏｄｅＢ１０５は、複数のアンテナ１２０から同一の時間−周波数（time-frequency）においてデータをＵＥ１１５に送信する。
【００３５】
ＭＩＭＯ通信システム１００における複数の送信アンテナ１１０と複数の受信アンテナ１２０とを使用することは、ｅＮｏｄｅＢ１０５が、おそらく異なる速度（rate）で独立的に多数の空間チャネル上でデータを符号化して送信することを可能とする。各アンテナペア１１０、１２０は、データが送信され得る異なる無線−アンテナチェーン（radio-antenna chain）を生成する。
【００３６】
ＵＥ１１５は、ｅＮｏｄｅＢ１０５とＵＥ１１５との間の雑音電力推定値（noise power estimates）、信号電力推定値（signal power estimates）、およびチャネル推定値（channel estimates）を計算する。計算された推定値は、プリコーディングによる送信レイヤ間の干渉を最小限にするために使用される。プリコーディングは、マルチ−アンテナ無線通信におけるマルチ−レイヤ送信をサポートするために使用される。数学的には、シングルユーザ（ＳＵ：single user）−ＭＩＭＯシステムは以下のように記述される。
【数１８】
2018504821.tif 000014
【００３７】
式１において：
ｙはＮＲＸ×１のサイズの受信信号であり、
ｘはＲＩ×１のサイズのデータ信号であり、
サイズＮＲＸ×ＮＴＸであるＨはＴＤＤにおける推定されたチャネル行列（channel matrix）であるか、またはＦＤＤにおけるＰＭＩから導出された代表チャネル（representative channel）であり、
Ｆはプリコーダ行列（precoder matrix）ＮＴＸ×ｒＦであり（ほとんどの場合ｒＦ＝ＲＩ）、
ｎはＮＲＸ×１のサイズである付加的な白色ガウス雑音である。
【００３８】
図２は、図１のＭＩＭＯシステム１００のダウンリンクデータ送信およびＣＳＩフィードバックの方法２００を示す。ｅＮｏｄｅＢ１０５は、ダウンリンク（ＤＬ）データを自身のアンテナ１１０でＵＥ１１５に送信し、ＵＥは、ステップ２０５において複数の受信アンテナ１２０でＤＬデータを受信する。レイヤ間干渉を最小化するために、ＵＥ１１５は、ステップ２１０において、プリコーダマトリクスインジケータ（ＰＭＩ：precoder matrix indicator）を含むチャネル状態情報（ＣＳＩ：channel status information）をｅＮｏｄｅＢ１０５に送信する。
【００３９】
ＵＥ１１５からｅＮｏｄｅＢ１０５へのＣＳＩのフィードバックは、ｅＮｏｄｅＢ１０５が、以降にさらに詳細を説明するように、変化する条件を考慮して、後続のＤＬ信号を修正（変更）すること、およびデータスループットを最大にすることを可能とする。特に、チャネル情報は、プリコーダが生成される送信コンポーネントと信号強度コンポーネントを表すコンポーネントに分解されてもよい。
【００４０】
図３は、本発明の実施形態にかかる、ＵＥと通信をする際にＭＩＭＯシステムにおいて使用するためのプリコーダを生成する方法３００を示している。方法３００は、ＴＤＤ送信において最小二乗平均誤差最適化プリコーディング（minimum-mean-squared-error optimised precoding）を生成し、ＦＤＤ送信において報告されたＰＭＩを直接的に使用する方法と比較して性能を改善するために使用することができる。
【００４１】
ブロック３０５において、以下の式２に従って、下記の分解の特異値が決定される。
【数１９】
2018504821.tif 000015
【００４２】
上記式２において、ＵおよびＶは特異値分解の左右のユニタリ行列を含み、Λは特異値分解の特異値を含み、Ｈはユーザのチャネル行列であり、σ２はＵＥのノイズ分散であり、上付き文字Ｈはエルミート転置（Hermitian transpose）である。
【００４３】
ブロック３１０において、例えば図４を参照して以下にさらに詳細を説明するように、ラグランジュ乗数（Lagrange multiplier）νが決定される。
【００４４】
ブロック３１５において、電力配分行列Ｄは、以下の式３に従って決定される。
【数２０】
2018504821.tif 000016
【００４５】
ブロック３２０において、プリコーダ行列Ｆは、以下の式４に従って生成される。
【数２１】
2018504821.tif 000017
【００４６】
上記式において、ＮＴＸはＭＩＭＯシステムの送信アンテナ数であり、ＲＩはＭＩＭＯシステムのランクである。
【００４７】
図４は、本発明の実施形態にかかるラグランジュ乗数を計算する方法を示している。
【００４８】
ブロック４０５において、ラグランジュ乗数の最小値νｍｉｎおよび最大値νｍａｘが設定される。
【００４９】
ブロック４１０において、ラグランジュ乗数νは、ν＝（νｍａｘ＋νｍｉｎ）／２として設定される。
【００５０】
ブロック４１５において、以下の式５に従って次の量が決定される。
【数２２】
2018504821.tif 000018
【００５１】
2018504821.tif 000019
【００５２】
2018504821.tif 000020
【００５３】
特定の実施形態によれば、ノイズ分散σ２は、報告されたＣＱＩ（Channel Quality Indicator：チャネル品質インジケータ）から以下のように推定される：
ａ）ＣＱＩテーブルにおいてＳＩＮＲ閾値に基づいてＳＩＮＲｉを見つける。
以下の計算式のように、ＳＩＮＲｉ、コードワード数Ｌおよび送信電力Ｐを用いてσ２を計算する。
【数２３】
2018504821.tif 000021
【００５４】
上記計算式において、ＬはＵＥに使用されるコードワード数であり、Ｐは送信電力であり、ＳＩＮＲｉはＵＥの信号対干渉雑音比である。
【００５５】
上記では２つのアンテナのみが記載されているが、当業者は、任意の数の適切なアンテナをｅＮｏｄｅＢおよび／またはＵＥにおいて使用できることは容易に理解することができる。
【００５６】
特定の実施形態によれば、ＭＩＭＯシステムはＴＤＤシステムであり、チャネル行列は相互チャネルから推定される。または、ＭＩＭＯシステムは、ＦＤＤシステムであり、代表チャネルは、チャネル情報のプリコーダマトリクスインジケータ（ＰＭＩ）から導出される。
【００５７】
本明細書および特許請求の範囲において、（もしあれば）「含んでいる（comprising）」という用語および「含む（comprises、comprise）」を含むその派生語は、記載された整数のそれぞれを含み、１つ以上のさらなる整数の包含を排除するものではない。
【００５８】
本明細書を通じて、「一実施形態」または「実施形態」という言及は、実施形態に関連して説明した特定の特徴、構造、または特性が本発明の少なくとも１つの実施形態に含まれることを意味する。したがって、本明細書の様々な箇所における「一実施形態では（において）」または「実施形態では（において）」という表現の出現は、必ずしもすべて同じ実施形態を指しているとは限らない。さらに、特定の特徴、構造、または特性は、１つ以上の組み合わせにより任意の適切な方法で組み合わされてもよい。
【００５９】
法令に従って、本発明は、構造的または系統的な特徴に多かれ少なかれ特定の言語で記載されている。本発明は、本明細書に記載された手段が、本発明を有効にする好適な形態を含むからと言って、図示または説明した特定の特徴に限定されることがないことを理解すべきである。したがって、（もしあれば）本発明は、当業者により適切に解釈される添付の特許請求の範囲の適切な範囲内のその形態または改変のいずれかにおいて請求される。
【００６０】
本出願は、２０１４年１２月１５日に出願されたオーストラリア仮特許出願第２０１４９０５０７１号に基づく優先権を主張し、その開示はその全体が参照により本明細書に取り込む。
【符号の説明】
【００６１】
１００          ＭＩＭＯシステム
１０５          ｅＮＢ
１１０、１２０  アンテナ
１１５          ＵＥ
【図１】
2018504821.tif 000032
【図２】
2018504821.tif 000033
【図３】
2018504821.tif 000034
【図４】
2018504821.tif 000035
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
ＵＥ（User Equipment：ユーザ装置）と通信を行うときにＭＩＭＯ（Multiple-Input Multiple-Output：マルチプルインプットマルチプルアウトプット）システムにおいて使用するためのプリコーダを生成する方法であって、
前記ＵＥからデータが送信されるチャネルに関連するチャネル情報を受信することと、
前記チャネル情報を送信コンポーネントと信号強度コンポーネントとを表すコンポーネントに分解することと、
前記送信コンポーネントと前記信号強度コンポーネントとに従って前記プリコーダを生成することと、
を含む方法。
【請求項２】
前記チャネル情報は、特異値分解（ＳＶＤ：singular value decomposition）を用いて分解される、
請求項１の方法。
【請求項３】
前記送信コンポーネントは、前記特異値分解のユニタリ行列（unitary matrix）を含み、前記信号強度コンポーネントは、前記特異値分解の対角行列（diagonal matrix）を含む、請求項２の方法。
【請求項４】
前記特異値分解は、下記式に従って計算される、請求項２の方法。
【数１】
2018504821.tif 000036
ここで、ＵとＶは前記特異値分解の左右のユニタリ行列を含み、Λは前記特異値分解の特異値を含み、Ｈは前記チャネル情報であり、σ２は前記ＵＥのノイズ分散であり、上付き文字Ｈはエルミート転置である。
【請求項５】
前記ＵＥの前記ノイズ分散は、チャネル情報に従って推定される、請求項４の方法。
【請求項６】
前記ノイズ分散σ２は、下記式に従って推定される、請求項５の方法。
【数２】
2018504821.tif 000037
ここで、Ｌは前記ＵＥに使用されるコードワード数であり、Ｐは送信電力であり、ＳＩＮＲｉは前記ＵＥの信号対干渉雑音比である。
【請求項７】
前記信号強度コンポーネントに従って電力配分行列（power allocation matrix）を決定することをさらに含み、
前記プリコーダは、前記電力配分行列に従ってさらに生成される、
請求項１の方法。
【請求項８】
前記電力配分行列は、前記信号強度コンポーネントおよびラグランジュ乗数に従って決定される、請求項７の方法。
【請求項９】
前記電力配分行列Ｄは、下記式に従って決定される、請求項８の方法。
【数３】
2018504821.tif 000038
【請求項１０】
ＵＥにデータを提供するための複数のアンテナと；
前記アンテナに結合されたプロセッサと；
前記プロセッサに結合されたメモリと、を備え、
前記メモリは、
前記ＵＥから前記データが送信されるチャネルに関するチャネル情報を受信することと；
前記チャネル情報を送信コンポーネントと信号強度コンポーネントとを表すコンポーネントに分解することと；
前記送信コンポーネントと前記信号強度コンポーネントとに基づいてプリコーダを生成することと；
前記複数のアンテナ上で前記ＵＥにデータを提供することと、
を前記プロセッサにより実行可能な命令コードを含み、前記データは前記プリコーダを用いて符号化される、
ＭＩＭＯシステム。
【国際調査報告】
2018504821.tif 000039
2018504821.tif 000040